(57)【要約】  相手方同軸コネクタの装着時に本体が変形することを抑制できる同軸コネクタを提供することである。  本体は、上ケース（１６）及び下ケース（１８）からなり、上面及び底面を有する。外部導体（１４）は、本体の孔（３４ａ）の周囲を囲み、かつ、相手方同軸コネクタの外部導体内に挿入される筒部（３２）、本体の上面に設けられている本体部（３１）、及び、本体部（３１）から本体の底面に引き出されることによって本体部（３１）と共に本体を挟む固定部（３３）とを含んでいる。固定端子（２２）は、本体に固定されている。可動端子（２０）は、本体に固定されている固定部（４２）、及び、固定部（４２）から固定端子（２２）に向かって延在している板ばね部（４４）であって、下側から平面視したときに、先端（ｔａ，ｔｂ）において固定部（３３）と重なっている板ばね部（４４）を含んでいる。板ばね部（４４）は、プローブにより、固定端子（２２）から離れるように下側に変位させられる。
2014024573.tif 000002
【特許請求の範囲】
【請求項１】
上下方向に延在するプローブと該プローブの周囲を囲む筒状の第１の外部導体とを備えた検査用同軸コネクタが装着される同軸コネクタであって、
上面及び底面を有し、かつ、前記プローブが上側から下側へと挿入される孔が形成されている本体と、
前記孔の周囲を囲み、かつ、前記第１の外部導体内に挿入される筒部、前記上面に設けられている外部導体本体部、及び、該外部導体本体部から前記底面に引き出されることによって該外部導体本体部と共に前記本体を挟む外部導体固定部とを含んでいる第２の外部導体と、
前記本体に固定されている固定端子と、
前記本体に固定されている可動端子固定部、及び、該可動端子固定部から前記固定端子に向かって延在している板ばね部であって、該固定端子に接触していると共に、下側から平面視したときに、先端において前記外部導体固定部と重なっている板ばね部を含んでいる可動端子と、
を備えており、
前記板ばね部は、前記プローブにより、前記固定端子から離れるように下側に変位させられること、
を特徴とする同軸コネクタ。
【請求項２】
前記板ばね部は、先端において前記本体と接触していること、
を特徴とする請求項１に記載の同軸コネクタ。
【請求項３】
前記固定端子は、
前記本体に固定されている固定端子固定部と、
前記固定端子固定部に対して上側に折り曲げて形成され、下側を向く部分において前記板ばね部と接触している接触部と、
を含んでいること、
を特徴とする請求項１又は請求項２のいずれかに記載の同軸コネクタ。
【請求項４】
前記板ばね部は、先端側において２つに枝分かれして形成されている２つの枝部を有しており、
前記固定端子は、前記２つの枝部の間に位置しており、
前記外部導体固定部は、前記２つの枝部の先端と重なるように少なくとも２つ以上設けられていること、
を特徴とする請求項１ないし請求項３のいずれかに記載の同軸コネクタ。
【請求項５】
前記接触部は、前記２つの枝部のそれぞれに対応するように２つ設けられていること、
を特徴とする請求項４に記載の同軸コネクタ。
【請求項６】
前記板ばね部は、上側に突出するように湾曲していること、
を特徴とする請求項１ないし請求項５のいずれかに記載の同軸コネクタ。
【発明の詳細な説明】
【技術分野】
【０００１】
本発明は、同軸コネクタに関し、より特定的には、高周波信号の伝送に用いられる同軸コネクタに関する。
【背景技術】
【０００２】
従来の同軸コネクタに関する発明としては、例えば、特許文献１に記載の同軸コネクタが知られている。図７（ａ）は、相手方同軸コネクタが装着されていない状態での特許文献１に記載の同軸コネクタ５１０の断面構造図である。図７（ｂ）は、相手方同軸コネクタが装着された状態での特許文献１に記載の同軸コネクタ５１０の断面構造図である。【０００３】
同軸コネクタ５１０は、図７（ａ）に示すように、本体５１２、外部端子５１４、可動端子５２０及び固定端子５２２を備えている。可動端子５２０及び固定端子５２２は、本体５１２に固定されている。可動端子５２０は、固定端子５２２に対して下側から圧接している。また、本体５１２には、上下方向に延びる孔５３４ａが設けられている。外部端子５１４は、孔５３４ａと同心の円筒部により構成されている。【０００４】
以上のように構成された同軸コネクタ５１０には、図７（ｂ）に示すように、相手方同軸コネクタが装着される。相手方同軸コネクタは、プローブ５４２を備えている。プローブ５４２は、孔５３４ａに挿入され、可動端子５２０を押し下げる。これにより、可動端子５２０と固定端子５２２とが離れ、可動端子５２０とプローブ５４２とが接続される。【０００５】
ところで、特許文献１に記載の同軸コネクタ５１０では、本体５１２が変形するおそれがある。より詳細には、可動端子５２０の先端は、本体５１２に接触している。そして、可動端子５２０がプローブ５４２によって押さえ付けられると、可動端子５２０の先端が本体５１２を下側に押す。その結果、本体５１２が下側に突出するように湾曲するおそれがある。
【先行技術文献】
【特許文献】
【０００６】
【特許文献１】特許第４４４２７１９号
【発明の概要】
【発明が解決しようとする課題】
【０００７】
そこで、本発明の目的は、相手方同軸コネクタの装着時に本体が変形することを抑制できる同軸コネクタを提供することである。
【課題を解決するための手段】
【０００８】
本発明の一形態に係る同軸コネクタは、上下方向に延在するプローブと該プローブの周囲を囲む筒状の第１の外部導体とを備えた検査用同軸コネクタが装着される同軸コネクタであって、上面及び底面を有し、かつ、前記プローブが上側から下側へと挿入される孔が形成されている本体と、前記孔の周囲を囲み、かつ、前記第１の外部導体内に挿入される筒部、前記上面に設けられている外部導体本体部、及び、該外部導体本体部から前記底面に引き出されることによって該外部導体本体部と共に前記本体を挟む外部導体固定部とを含んでいる第２の外部導体と、前記本体に固定されている固定端子と、前記本体に固定されている可動端子固定部、及び、該可動端子固定部から前記固定端子に向かって延在している板ばね部であって、該固定端子に接触していると共に、下側から平面視したときに、先端において前記外部導体固定部と重なっている板ばね部を含んでいる可動端子と、を備えており、前記板ばね部は、前記プローブにより、前記固定端子から離れるように下側に変位させられること、を特徴とする。
【発明の効果】
【０００９】
本発明によれば、相手方同軸コネクタの装着時に本体が変形することを抑制できる。
【図面の簡単な説明】
【００１０】
【図１】図１（ａ）は、本発明の一実施形態に係る同軸コネクタの外観斜視図である。図１（ｂ）は、本発明の一実施形態に係る同軸コネクタの外観斜視図である。
【図２】同軸コネクタの分解斜視図である。
【図３】同軸コネクタの分解斜視図である。
【図４】上ケース上に可動端子及び固定端子が取り付けられた状態の同軸コネクタの分解斜視図である。
【図５】図４の同軸コネクタをｘ軸方向の負方向側から平面視した図である。
【図６】図６（ａ）は、相手方同軸コネクタが装着されていないときの同軸コネクタのｘｚ平面における断面構造図である。図６（ｂ）は、相手方同軸コネクタが装着されているときの同軸コネクタのｘｚ平面における断面構造図である。
【図７】図７（ａ）は、相手方同軸コネクタが装着されていない状態での特許文献１に記載の同軸コネクタの断面構造図である。図７（ｂ）は、相手方同軸コネクタが装着された状態での特許文献１に記載の同軸コネクタの断面構造図である。
【発明を実施するための形態】
【００１１】
以下に、本発明の一実施形態に係る同軸コネクタについて、図面を参照して説明する。
【００１２】
（同軸コネクタの構成）
一実施形態に係る同軸コネクタの構成について図面を参照しながら説明する。図１（ａ）は、本発明の一実施形態に係る同軸コネクタ１０の外観斜視図である。図１（ｂ）は、本発明の一実施形態に係る同軸コネクタ１０の外観斜視図である。図２及び図３は、同軸コネクタ１０の分解斜視図である。以下、この同軸コネクタ１０の詳細について説明する。図１ないし図３において、外部導体１４、上ケース１６及び下ケース１８が重ねられる方向をｚ軸方向とする。ｚ軸方向の正方向は、下ケース１８から外部導体１４へと向かう方向である。また、可動端子２０及び固定端子２２が並ぶ方向をｘ軸方向とし、ｘ軸方向とｚ軸方向に直交する方向をｙ軸方向とする。ｘ軸方向の正方向は、固定端子２２から可動端子２０へと向かう方向である。
【００１３】
同軸コネクタ１０は、図１に示すように、本体１２、外部導体１４、金属製（例えば、ＳＵＳ３０１のステンレス）の可動端子２０及び固定端子２２を備え、１．６ｍｍ×１．６ｍｍ×０．７ｍｍの大きさを有している。また、本体１２は、図２に示すように、樹脂製の上ケース１６及び下ケース１８がｚ軸方向の正方向側から負方向側へとこの順に重ねられて構成されている。
【００１４】
下ケース１８は、図２に示すように、矩形状をなしており、ｚ軸方向の正方向側の面に上ケース１６を位置決めするための突起５２ａ〜５２ｄを有している。突起５２ａ〜５２ｄは、矩形状の下ケース１８の４つの角においてｚ軸方向の正方向側に突出している。突起５２ａは、下ケース１８においてｘ軸方向の負方向側であってｙ軸方向の正方向側の角に設けられている。突起５２ｂは、下ケース１８においてｘ軸方向の正方向側であってｙ軸方向の正方向側の角に設けられている。突起５２ｃは、下ケース１８においてｘ軸方向の負方向側であってｙ軸方向の負方向側の角に設けられている。突起５２ｄは、下ケース１８においてｘ軸方向の正方向側であってｙ軸方向の負方向側の角に設けられている。
【００１５】
更に、図２に示すように、下ケース１８におけるｘ軸方向の正方向側の辺の中央部には、可動端子２０が外部に引き出されるための矩形の切り欠き部５４が形成されている。切り欠き部５４のｘ軸方向の負方向側近傍には、可動端子２０を固定するための固定面５７が設けられている。
【００１６】
また、図２に示すように、下ケース１８におけるｘ軸方向の負方向側の辺の中央部には、固定端子２２が外部に引き出されるための矩形の切り欠き部５５が形成されている。切り欠き部５５のｘ軸方向の正方向側の近傍には、固定端子２２を固定するための固定面５８が設けられている。
【００１７】
上ケース１６は、図２に示すように、円筒部３４及びカバー部３５を備えている。カバー部３５は、ｚ軸方向から平面視したときに、突起５２ａ〜５２ｄに囲まれた領域に沿った外形を有した板状部材であり、突起５２ａ〜５２ｄの間に嵌め込まれる。円筒部３４は、カバー部３５の中央においてｚ軸方向の正方向側へと突出している。円筒部３４は、ｚ軸方向の正方向側がすり鉢状に開口し、かつ、ｘｙ平面での断面が円形の孔３４ａを有している。この孔３４ａは上ケース１６を貫通している。孔３４ａには、相手方同軸コネクタのプローブがｚ軸方向の正方向側から挿入される。
【００１８】
更に、上ケース１６のｚ軸方向の負方向側の面には、図３に示すように、ｚ軸方向の負方向側に突出する２つの円柱形のリブ３６ａ，３６ｂが設けられている。リブ３６ａはそれぞれ、下ケース１８に設けられている突起５２ａ，５２ｂに挟まれることにより、上ケース１６と下ケース１８とを位置決めする。同様に、リブ３６ｂはそれぞれ、下ケース１８に設けられている突起５２ｃ，５２ｄに挟まれることにより、上ケース１６と下ケース１８とを位置決めする。
【００１９】
また、図３に示すように、上ケース１６のｚ軸方向の負方向側の面において、ｘ軸方向の正方向側の端近傍に可動端子２０を固定するための固定面３７が設けられている。固定面３７は、同軸コネクタ１０が組み立てられたときに、固定面５７と共に可動端子２０を挟んで固定する。同様に、上ケース１６のｚ軸方向の負方向側の面において、ｘ軸方向の負方向側の端近傍に固定端子２２を固定するための固定面３９が設けられている。固定面３９は、同軸コネクタ１０が組み立てられたときに、固定面５８と共に固定端子２２を挟んで固定する。更に、固定面３９のｘ軸方向の正方向側には、載置部３８が設けられている。載置部３８は、上ケース１６のｚ軸方向の負方向側の面において、ｚ軸方向の負方向側に突出するように設けられており、後述する固定端子２２の固定部４８及び接触部５０ａ，５０ｂが載置される。
【００２０】
ここで、上ケース１６と下ケース１８とが組み立てられた状態において、突起５２ａ〜５２ｄのｚ軸方向の正方向側の面及びカバー部３５のｚ軸方向の正方向側の面により形成される面を本体１２の上面と呼ぶ。また、下ケース１８のｚ軸方向の負方向側の面を本体１２の底面と呼ぶ。
【００２１】
次に、可動端子２０及び固定端子２２について、図１ないし図５を参照しながら説明する。図４は、上ケース１６上に可動端子２０及び固定端子２２が取り付けられた状態の同軸コネクタ１０の分解斜視図である。図５は、図４の同軸コネクタ１０をｘ軸方向の負方向側から平面視した図である。
【００２２】
固定端子２２は、平板状の金属板を打ち抜き、曲げ加工して形成されており、図２及び図３に示すように、固定部４８、リード部４９及び接触部５０ａ，５０ｂにより構成されている。固定部４８は、同軸コネクタ１０が組み立てられたときに、固定面３９と固定面５８との間に挟まれることにより本体１２に固定される平坦部分である。リード部４９は、固定部４８に接続されており、Ｌ字状に曲げ加工して形成されている。リード部４９は、図１及び図４に示すように、同軸コネクタ１０が組み立てられたときに、切り欠き部５５から本体１２の外部に露出している。接触部５０ａ，５０ｂは、図２ないし図４に示すように、固定部４８に対してｚ軸方向の正方向側に折り曲げて形成され、ｚ軸方向の負方向側を向く部分において可動端子２０と接触する。該接触部５０ａ，５０ｂは、後述する枝部４４ａ，４４ｂに対応するように２つ設けられている。また、該接触部５０ａ，５０ｂと固定部４８との間の折れ線は、ｘ軸方向と平行である。接触部５０ａ，５０ｂ間の固定部４８及び接触部５０ａ，５０ｂは、図３に示すように、接触部５０ａ，５０ｂ及び固定部４８に沿った形状を有する載置部３８上に載置される。
【００２３】
可動端子２０は、ばね性を有する金属板を所定の形状に打ち抜き、曲げ加工して形成されており、図２及び図３に示すように、固定部４２、リード部４３及び板ばね部４４を備えている。固定部４２は、同軸コネクタ１０が組み立てられたときに、固定面３７と固定面５７との間に挟まれることにより本体１２に固定される平坦部分である。リード部４３は、固定部４２に接続されており、Ｌ字状に曲げ加工して形成されている。リード部４３は、図１及び図４に示すように、同軸コネクタ１０が組み立てられたときに、切り欠き部５４から本体１２の外部に露出している。
【００２４】
板ばね部４４は、図４に示すように、固定部４２から固定端子２２に向かってｘ軸方向に直線状に延在しており、固定端子２２の接触部５０ａ，５０ｂと接触していると共に、その先端ｔａ，ｔｂにおいて下ケース１８に摺動可能に接触している。より詳細には、板ばね部４４は、先端ｔａ，ｔｂ側（ｘ軸方向の負方向側）において２つに枝分かれして形成されている枝部４４ａ，４４ｂを有している。固定端子２２は、該枝部４４ａ，４４ｂの間に位置し、固定端子２２の接触部５０ａ，５０ｂはそれぞれ、ｚ軸方向から平面視したときに枝部４４ａ，４４ｂに重なるようにｚ軸方向の正方向にいくにしたがってｙ軸方向に広がっている。また、板ばね部４４は、ｚ軸方向の正方向側に突出するように湾曲している。そのため、枝部４４ａ，４４ｂはそれぞれ、接触部５０ａ，５０ｂに板ばね部４４の付勢力により圧接している。これにより、可動端子２０と固定端子２２は、電気的に接続されている。
【００２５】
以上のように構成された可動端子２０及び固定端子２２は、図４に示すように、まず、固定端子２２が上ケース１６に取り付けられてから、可動端子２０が上ケース１６に取り付けられる。これにより、枝部４４ａ，４４ｂのｚ軸方向の正方向側の部分と接触部５０ａ，５０ｂのｚ軸方向の負方向側の部分とが接触する。
【００２６】
外部導体１４は、相手方同軸コネクタの外部導体と接触し、ステンレス（例えば、ＳＵＳ３０１）の金属板を打ち抜き、曲げ加工、絞り加工等により形成され、図１及び図２に示すように、本体部３１、円筒部３２及び固定部３３ａ〜３３ｄを備えている。
【００２７】
本体部３１は、板状部材であり、本体１２の上面上に設けられている。本体部３１におけるｙ軸方向の正方向側の辺には、固定部３３ａ，３３ｂが設けられている。固定部３３ａは、本体部３１におけるｙ軸方向の正方向側の辺のｘ軸方向の負方向側の端部からｙ軸方向の正方向側に向かって延びる板状部材が折り曲げられて形成されている。固定部３３ｂは、本体部３１におけるｙ軸方向の正方向側の辺のｘ軸方向の正方向側の端部からｙ軸方向の正方向側に向かって延びる板状部材が折り曲げられて形成されている。以上のように、固定部３３ａ，３３ｂは、図１に示すように、本体部３１から本体１２の底面に引き出されることにより、本体部３１と共に本体１２を挟んでいる。
【００２８】
本体部３１におけるｙ軸方向の負方向側の辺には、固定部３３ｃ，３３ｄが設けられている。固定部３３ｃは、本体部３１におけるｙ軸方向の負方向側の辺のｘ軸方向の負方向側の端部からｙ軸方向の負方向側に向かって延びる板状部材が折り曲げられて形成されている。固定部３３ｄは、本体部３１におけるｙ軸方向の負方向側の辺のｘ軸方向の正方向側の端部からｙ軸方向の負方向側に向かって延びる板状部材が折り曲げられて形成されている。以上のように、固定部３３ｃ，３３ｄは、図１に示すように、本体部３１から本体１２の底面に引き出されることにより、本体部３１と共に本体１２を挟んでいる。
【００２９】
更に、本体部３１の中央部には、ｚ軸方向の正方向側に突出する円筒部３２が設けられている。円筒部３２は、円筒部３４と同心となるように形成されており、孔３４ａの周囲を囲んでいる。そして、円筒部３２は、相手方同軸コネクタの外部導体内に挿入されることによって該外部導体と嵌合する。外部導体１４は通常アースとして機能しており、外部導体１４の外表面には必要に応じてめっきが施される。
【００３０】
以上のように構成された同軸コネクタ１０は、以下に説明するように、本体１２が変形することを抑制する構成を有している。より詳細には、図４及び図５に示すように、板ばね部４４の先端ｔａ，ｔｂは、ｚ軸方向の負方向側から平面視したときに、固定部３３ａ，３３ｃと重なっている。本実施形態では、板ばね部４４の２つの枝部４４ａ，４４ｂの先端ｔａ，ｔｂはそれぞれ、ｚ軸方向の負方向側から平面視したときに、固定部３３ａ，３３ｃと重なっている。そのため、固定部３３ａ〜３３ｄは、２つの枝部４４ａ，４４ｂの先端ｔａ，ｔｂと重なるように少なくとも２つ以上（本実施形態では４つ）設けられている。更に、図５に示すように、先端ｔａ，ｔｂは、ｙ軸方向に延在しており、固定部３３ａ，３３ｃの先端は、ｘ軸方向に延在している。そして、先端ｔａ，ｔｂはそれぞれ、固定部３３ａ，３３ｃの先端と交差している。すなわち、先端ｔａ，ｔｂは、部分的に固定部３３ａ，３３ｃと重なっている。
【００３１】
以上のように構成された同軸コネクタ１０は、以下のように組み立てられる。図４に示すように、固定端子２２を位置合わせして上ケース１６に取り付け、その後、可動端子２０を位置合わせして上ケース１６に取り付ける。なお、図４では、固定部３３ａ〜３３ｄは、折り曲げられているが、実際には、この段階において、固定部３３ａ〜３３ｄは、折り曲げられていない。
【００３２】
次に、図４に示すように、上ケース１６に対してｚ軸方向の正方向側から外部導体１４を取り付ける。この際、円筒部３４は、円筒部３２に挿入される。この後、図３に示すように、上ケース１６に対してｚ軸方向の負方向側から下ケース１８を積み重ねる。
【００３３】
最後に、外部導体１４の固定部３３ａ〜３３ｄをカシメて、図１に示すような構造を有する同軸コネクタ１０を得ることができる。
【００３４】
次に、同軸コネクタ１０の動作について図６を参照して説明する。図６（ａ）は、相手方同軸コネクタが装着されていないときの同軸コネクタ１０のｘｚ平面における断面構造図である。図６（ｂ）は、相手方同軸コネクタが装着されているときの同軸コネクタ１０のｘｚ平面における断面構造図である。
【００３５】
相手方同軸コネクタは、プローブ１３０及び外部導体（図示せず）を備えている。プローブ１３０は、ｚ軸方向に延在する棒状の金属端子である。外部導体は、プローブ１３０の周囲を囲む筒状の導体である。
【００３６】
図６（ａ）に示すように、相手方同軸コネクタが装着されていないとき、可動端子２０は、ｘ軸方向の中央部がｚ軸方向の正方向側に膨らんだ状態である。これにより、枝部４４ａ，４４ｂ（図６では枝部４４ｂのみ記載）は、接触部５０ａ，５０ｂ（図６では、接触部５０ｂのみ記載）に、板ばね部４４の付勢力により圧接しており、可動端子２０と固定端子２２とは、電気的に接続されている。
【００３７】
一方、相手方同軸コネクタが装着されるときには、相手方同軸コネクタのプローブ１３０が、ｚ軸方向の正方向側から負方向側へと孔３４ａに挿入される。これにより、プローブ１３０は、板ばね部４４に接触し、該板ばね部４４をｚ軸方向の負方向側へと押し下げる。すなわち、板ばね部４４は、プローブ１３０により、固定端子２２から離れるようにｚ軸方向の負方向側に変位させられる。これにより、図６（ｂ）に示すように、板ばね部４４の枝部４４ａ，４４ｂは、接触部５０ａ，５０ｂから離れ、可動端子２０と固定端子２２との電気的接続が断たれる一方、プローブ１３０と可動端子２０とが電気的に接続される。同時に、相手方同軸コネクタの外部導体（図示せず）が外部導体１４に嵌合して、外部導体も外部導体１４と電気的に接続される。
【００３８】
また、相手方同軸コネクタを同軸コネクタ１０から外すと、板ばね部４４のｘ軸方向の中央部は、図６（ａ）に示すように、ｚ軸方向の正方向側に復帰する。これにより、可動端子２０と固定端子２２とが再び電気的に接続する一方、プローブ１３０と可動端子２０との電気的接続が断たれる。
【００３９】
（効果）
以上のように構成された同軸コネクタ１０によれば、本体１２が変形することが抑制される。より詳細には、同軸コネクタ１０では、図４及び図５に示すように、板ばね部４４の先端ｔａ，ｔｂは、ｚ軸方向の負方向側から平面視したときに、固定部３３ａ，３３ｃと重なっている。すなわち、本体１２は、先端ｔａ，ｔｂが本体１２に接触する位置においてｚ軸方向の負方向側から固定部３３ａ，３３ｃにより支持されている。これにより、プローブ１３０によって板ばね部４４がｚ軸方向の負方向側に押されることによって、端部ｔａ，ｔｂが本体１２をｚ軸方向に負方向側に押したとしても、固定部３３ａ，３３ｃによって本体１２が変形することが抑制される。また、本体１２の変形が抑制されるので、より薄型の本体１２を用いることが可能となる。その結果、同軸コネクタ１０の低背化が図られる。
【００４０】
なお、固定部３３ａ，３３ｃは、板ばね部４４がプローブ１３０に押された状態（図６（ｂ）の状態）及び板ばね部４４がプローブ１３０に押されていない状態（図６（ａ）の状態）において、先端ｔａ，ｔｂと重なっていることが好ましい。ただし、固定部３３ａ，３３ｃは、少なくとも、板ばね部４４がプローブ１３０に押された状態において、先端ｔａ，ｔｂと重なっていればよい。
【００４１】
また、同軸コネクタ１０によれば、以下の理由によっても、本体１２が変形することが抑制される。特許文献１に記載の同軸コネクタ５１０では、可動端子５２０がプローブ５４２に押されていない状態であっても、可動端子５２０の先端は、本体５１２に接触している。そのため、可動端子５２０がプローブ５４２に押されていない状態であっても、本体５１２は、可動端子５２０からｚ軸方向の負方向側に力を受けている。この場合、同軸コネクタ５１０が回路基板に実装される際のリフロー工程において本体５１２が加熱されると、樹脂からなる本体５１２が軟化してｚ軸方向の負方向側に突出するように湾曲してしまうおそれがある。その結果、本体５１２の底面が平坦ではなくなり、同軸コネクタ５１０の実装不良が発生するおそれがある。
【００４２】
そこで、同軸コネクタ１０では、図４及び図５に示すように、板ばね部４４の先端ｔａ，ｔｂは、ｚ軸方向の負方向側から平面視したときに、固定部３３ａ，３３ｃと重なっている。すなわち、本体１２は、先端ｔａ，ｔｂが本体１２に接触する位置においてｚ軸方向の負方向側から固定部３３ａ，３３ｃにより支持されている。これにより、リフロー工程において、本体１２が変形することが抑制される。なお、リフロー工程における本体１２の変形を抑制するためには、固定部３３ａ，３３ｃは、板ばね部４４がプローブ１３０に押されていない状態において、先端ｔａ，ｔｂと重なっている必要がある。
【００４３】
（変形例）
なお、同軸コネクタ１０は、前記実施形態に示したものに限らず、その要旨の範囲内において変形可能である。例えば、板ばね部４４は、枝部４４ａ，４４ｂに枝分かれしていなくてもよい。すなわち、板ばね部４４は、ｘ軸方向に延在する１本の棒状であってもよい。
【００４４】
なお、板ばね部４４の先端ｔａ，ｔｂは、板ばね部４４がプローブ１３０に押されていない状態において、本体１２に接触していなくてもよい。すなわち、板ばね部４４の先端ｔａ，ｔｂは、板ばね部４４がプローブ１３０に押されることによって、本体１２に接触してもよい。
【産業上の利用可能性】
【００４５】
以上のように、本発明は、同軸コネクタに有用であり、特に、本体が変形することを抑制できる点において優れている。
【符号の説明】
【００４６】
１０  同軸コネクタ
１２  本体
１４  外部導体
１６  上ケース
１８  下ケース
２０  可動端子
２２  固定端子
３１  本体部
３２，３４  円筒部
３４ａ  孔
３５  カバー部
４４  板ばね部
４４ａ，４４ｂ  枝部
【図１】
2014024573.tif 000003
【図２】
2014024573.tif 000004
【図３】
2014024573.tif 000005
【図４】
2014024573.tif 000006
【図５】
2014024573.tif 000007
【図６】
2014024573.tif 000008
【図７】
2014024573.tif 000009
【手続補正書】
【提出日】平成27年9月2日(2015.9.2)
【手続補正１】
【補正対象書類名】特許請求の範囲
【補正対象項目名】全文
【補正方法】変更
【補正の内容】
【特許請求の範囲】
【請求項１】
上下方向に延在するプローブと該プローブの周囲を囲む筒状の第１の外部導体とを備えた検査用同軸コネクタが装着される同軸コネクタであって、
上面及び底面を有し、かつ、前記プローブが上側から下側へと挿入される孔が形成されている本体と、
前記孔の周囲を囲み、かつ、前記第１の外部導体内に挿入される筒部、前記上面に設けられている外部導体本体部、及び、該外部導体本体部から前記底面に引き出されることによって該外部導体本体部と共に前記本体を挟む外部導体固定部とを含んでいる第２の外部導体と、
前記本体に固定されている固定端子と、
前記本体に固定されている可動端子固定部、及び、該可動端子固定部から前記固定端子に向かって延在している板ばね部であって、該固定端子に接触していると共に、下側から平面視したときに、先端において前記外部導体固定部と重なっている板ばね部を含んでいる可動端子と、
を備えており、
前記板ばね部は、前記プローブにより、前記固定端子から離れるように下側に変位させられること、
を特徴とする同軸コネクタ。
【請求項２】
前記板ばね部は、先端において前記本体と接触していること、
を特徴とする請求項１に記載の同軸コネクタ。
【請求項３】
前記固定端子は、
前記本体に固定されている固定端子固定部と、
前記固定端子固定部に対して上側に折り曲げられており、下側を向く部分において前記板ばね部と接触している接触部と、
を含んでいること、
を特徴とする請求項１又は請求項２のいずれかに記載の同軸コネクタ。
【請求項４】
前記板ばね部は、先端側において２つに枝分かれして形成されている２つの枝部を有しており、
前記固定端子は、前記２つの枝部の間に位置しており、
前記外部導体固定部は、前記２つの枝部の先端と重なるように少なくとも２つ以上設けられていること、
を特徴とする請求項１ないし請求項３のいずれかに記載の同軸コネクタ。
【請求項５】
前記接触部は、前記２つの枝部のそれぞれに対応するように２つ設けられていること、
を特徴とする請求項４に記載の同軸コネクタ。
【請求項６】
前記板ばね部は、上側に突出するように湾曲していること、
を特徴とする請求項１ないし請求項５のいずれかに記載の同軸コネクタ。
【国際調査報告】
2014024573.tif 000010
2014024573.tif 000011
2014024573.tif 000012
2014024573.tif 000013